(57)【特許請求の範囲】
【請求項１】
電源出力端子に接続される下部を有する下ケース（４）と、
上記下ケース（４）の内部に設けられる回路板（３）と、
内側に上蓋（１１）を有する上ケース（１）と、
上端側縁の複数の穿孔（２３）と、側面の複数の放熱孔（２４）と、上記上ケース（１）と連結される上端周面のねじ山と、および上記下ケース（４）と連結される下端周面のねじ山を有する中段ケース（２）と、
上記中段ケース（２）の頂面に設けられる複数の発光ダイオード（２１）と、および
上記中段ケース（２）の頂面の上記発光ダイオード（２１）に隣接する球形収容溝（２０１）内に回転可能に収容されるセンサーカバーケース（２０２）と、その内側に嵌合されるセンサーカバー（２０３）とを有する回転センサー（２０）と、
から構成されるセンサー機能を備えた発光装置。
【請求項２】
上ケース（１）は、拡大したセンサーカバーに取り替え可能であることを特徴とする、請求項１に記載のセンサー機能を備えた発光装置。
【発明の詳細な説明】
【技術分野】
【０００１】
本発明はセンサー機能を備えた発光装置に関し、特にセンサーの角度と方向を変え、センサーの範囲を調整することができるセンサー機能を備えた発光装置に関する。
【背景技術】
【０００２】
センサーの発展とともに、センサーが日常生活に応用される機会が次第に増えてきている。例えば、センサーを照明装置に適用した例で言うと、この種の装置は、センサー信号で発光装置のオンとオフの制御を行う。このように、センサーを照明器具や監視カメラ設備等と併用して、効率的にエネルギーを利用することができる。
【０００３】
センサーは、その種類や品質を問わず、センサーの方向とセンサーの範囲は固定されており、使用前に装置の位置と方向を設定したり、或いは、オートマチックの調整構造を取り付けたりすることで、目標物がセンサーの有効範囲に進入してきたときにその効能を発揮する。従来のセンサー発光装置と監視カメラ設備は、一般的に、回転軸と連接棒などを設けることでセンサー角度と方向を調整するが、この種の構造はセンサーの方向を調整することができるものの構造の体積が大きくなってしまう上、調整する角度と方向が回転軸と連接棒の制限を受け、センサーの目標の方向を変える時、センサーの死角が生じやすい。従って、改良の余地があるといえる。
【発明の概要】
【発明が解決しようとする課題】
【０００４】
そこで、本発明は、センサーの角度と方向を変え、センサーの範囲を調整することができるセンサー機能を備えた発光装置を提供することを目的とする。
【課題を解決するための手段】
【０００５】
本発明によるセンサー機能を備えた発光装置は、下ケースと、中段ケースと、上ケースとによって構成する。下ケースの下端は電源出力端子に接続され、下ケースの内側には回路板が設けられ、下ケースの上端の内側にはねじ山が設けられる。中段ケースの下端には下ケースが連結され、中段ケースの側面には複数の放熱孔が設けられ、中段ケースの上端側縁には複数の穿孔が設けられる。上ケースは、中段ケース上端に設けられ、上ケース内側には上蓋が設けられ、中段ケースの頂面と頂面下層には少なくとも一つの発光ダイオードが設けられる。発光ダイオードが設けられている箇所には回転センサーが設けられ、回転センサーは、センサーカバーケースとセンサーカバーとによって構成するとともに、球形収容溝に配置される。
【発明の効果】
【０００６】
本発明のセンサー機能を備えた発光装置は、従来のセンサー発光装置が回転軸と連接棒を用いてセンサーの角度と方向を調整するのとは異なり、球形収容溝を用い、球状のセンサーカバーケースとセンサーカバーを設けることにより、センサーの角度と方向を自在に調整することができる。本発明は、センサーの角度が回転軸と連接棒の制限を受けないだけでなく、大幅に体積を縮小することが可能になり、構造の体積や、センサー方向に限定されることなく、様々な空間に取り付けることができる。また、上ケースをセンサーに取り替えることで、センサー信号を安定させ、センサー角度を拡大することができ、センサーの利便性を向上させることができる。
【図面の簡単な説明】
【０００７】
【図１】本発明の構造を示した斜視図である。
【図２】本発明の構造を示した分解図である。
【図３】本発明の構造を示した断面図である。
【図４】本発明の構造を示した説明図である。
【図５】本発明の構造を示した説明図である。
【図６】本発明の実施例の一つを示した参考図である。
【図７】本発明の実施例の一つを示した参考図である。
【図８】本発明の実施例の一つを示した参考図である。
【図９】本発明の実施例の一つを示した参考図である。
【図１０】本発明の実施例の一つを示した参考図である。
【図１１】本発明の実施例の一つを示した参考図である。
【発明を実施するための形態】
【０００８】
図１から図５を参照する。本発明によるセンサー機能を備えた発光装置は、上ケース１と、中段ケース２と、回路板３と、下ケース４と、回転センサー２０とによって構成する。
【０００９】
図１と図２に示すように、本発明の中段ケース２の上端側縁には穿孔２３が設けられ、中段ケース２の側面には複数の放熱孔２４が設けられ、中段ケース２の上端周面と下端周面にはいずれもねじ山が設けられ、中段ケース２の上端と下端は、上ケース１と下ケース４にそれぞれ連結される。また、複数の発光ダイオード２１が中段ケース２頂面に設けられ、センサーカバーケース２０２とセンサーカバー２０３とによって構成する回転センサー２０は、複数の発光ダイオード２１が設けられている箇所に設けられる。下ケース４の下部は、電源出力端子（図示せず）に接続され、下ケース４の内部には回路板３が設けられ、回路板３は、発光ダイオード２１と、センサーカバー２０３内側のセンサーとに接続される。球状を呈するセンサーカバーケース２０２は球形収容溝２０１に設けられ、円筒状のセンサーカバー２０３はセンサーカバーケース２０２内側に嵌合され、上ケース１内側の上蓋１１は、センサーカバーケース２０２の外側に設けられる。また、図６に示すように、回転センサー２０は、上ケース１、或いはその他同様の効果をもつ位置に設けることができ、センサーカバー２０３とセンサーカバーケース２０２も、前記その他同様の効果をもつ位置に設けることができる。
【００１０】
図３から図５に示すように、本発明の回転センサー２０は、発光ダイオード２１が設けられている箇所に設けられる。回転センサー２０は、センサーカバー２０３をセンサーカバーケース２０２に嵌合させてなるとともに、球形収容溝２０１内に設けられる。上蓋１１はセンサーカバーケース２０２の外側に設けられ、上蓋１１を設ける位置は、球体中心より高く、回転センサー２０は球形収容溝２０１と上蓋１１の間に固定される。様々な空間や、様々なセンサーの方向に応じて、センサーの角度と方向を調整する場合は、センサーカバーケース２０２を手動で回転させることで、センサーは、センサーの目標範囲へと向き、センサーの目標がセンサー範囲に進入した時、センサーは信号を受信して、発光ダイオードが点灯する。本発明は、回転可能なセンサーカバーケース２０２を使用しており、回転する角度と方向は球形収容溝２０１に対応するため、回転軸と連接棒による調整範囲の制限を受けない。このため、体積を小さくすることができる以外に、様々な空間や取り付け位置に適用させることができる。また、図１１に示すように、様々な空間に対応させるために、上ケース１を拡大したセンサーカバー２０３に取り替えることができ、それにより、センサー信号を安定させ、センサー角度を拡大することができる。
【符号の説明】
【００１１】
１          上ケース
１１        上蓋
２          中段ケース
２１        発光ダイオード
２０        回転センサー
２０１      球形収容溝
２０２      センサーカバーケース
２０３      センサーカバー
２３        穿孔
２４        放熱孔
３          回路板
４          下ケース
【図１】
0005508187.tif 000002
【図２】
0005508187.tif 000003
【図３】
0005508187.tif 000004
【図４】
0005508187.tif 000005
【図５】
0005508187.tif 000006
【図６】
0005508187.tif 000007
【図７】
0005508187.tif 000008
【図８】
0005508187.tif 000009
【図９】
0005508187.tif 000010
【図１０】
0005508187.tif 000011
【図１１】
0005508187.tif 000012